(57)【要約】      （修正有）【課題】戻り配管ラインに設置される流量調整機能を付加したチャッキバルブを提供する。【解決手段】ポンプ稼動中に流体供給管の弁が閉じた場合、ポンプ破損を防ぐための戻し配管にはチャッキバルブ１の他、戻し配管の流量をポンプ能力に合わせて絞るため、調節器具が必要となる。本件では、チャッキバルブ１の弁体５の支持部材９の基板１０に複数のオリフィス１２を貫通させ、このオリフィス１２の一部を閉じるためのオリフィス板１５を用いて流量を調節する。閉じるオリフィス１２の数により調節が可能となる。【選択図】図１
2005188696.tif 000002
【特許請求の範囲】
【請求項１】
弁箱（２）の一次側開口（３）を開閉する弁体（５）と、弁箱（２）の二次側開口（４）側で弁体（５）を摺動可能に支持する支持部材（９）と、弁体（５）を弁座（８）に対して押圧するスプリング（１３）とを含み、流体の供給管（１８）の戻り配管（２２）に使用されるチャッキバルブ（１）において、支持部材（９）は弁棒（７）を弁箱（２）の中心軸（０−０）に沿い摺動可能に受ける案内（１１）と、案内（１１）の一端と中心で結合し、周縁（１４）が二次側開口（４）の内壁に密着して取り付けられる基板（１０）とを含み、基板(１０)には軸方向に貫通する複数のオリフィス(１２)が設けられた、流量調節機能を付したチャッキバルブ。
【請求項２】
支持部材（９）は、基板（１０）上のオリフィス（１２）のうち一部を除き対応する位置に同じ大きさのオリフィスを設け、前記除いた一部のオリフィスに適合する突起（１６）を持ち、基板（１０）に重ね合わせるオリフィス板（１５）を備える、請求項１記載の流量調節機能を付したチャッキバルブ。  
【発明の詳細な説明】
【技術分野】
【０００１】
本発明は、流体供給管装置、とくに超高層ビルの給水ラインの戻り配管に用いるチャッキバルブに関する。
【背景技術】
【０００２】
流体の供給管（１８）上の弁が、ポンプ稼動中に閉じられる等、流体が流れなくなった場合、ポンプ（１９）は締切運転状態になり過熱し、ポンプ軸が焼付を起したりして破損するおそれが生じる。流体の流れを確保し、過熱・破損を防ぐために戻り配管（２２）が設けられる。図５に示すように、供給管（１８）の弁（２０）とポンプ（１９）の間に流体がタンクまたはポンプ（１９）の吸い込み側に流れる分岐ライン、すなわち戻り配管（２２）を設ける。
【０００３】
戻り配管（２２）を通る流体の流量が多いと、ポンプ容量が大きくなければならず無駄が生ずる。極力無駄を省くため、ポンプが過熱しない程度の必要最低限の流量に抑えることが望まれている。
【０００４】
従来、ポンプ能力に合った最少の流量を保つために、戻り配管（２２）には流量をしぼるため、管径をテーパー状に次第に小さくしたベンチュリーチューブや、戻り配管より口径を小さくしたオリフィスを設けたリング状のオリフィスリング等の流量調整器具（２４）を配管の途中に取り付けることが行われてきた。
【０００５】
他方、戻り配管（２２）上にもチャッキバルブ（１）を設ける必要がある。そうでないと、管内に空気が入り、ポンプ内部の流体が吸入管を通ってタンクに落ちるおそれが大きい。その状態でポンプ（１９）を起動すると空運転となり、ポンプ自体を破損することとなる。
【０００６】
従って、従来は戻り配管上にチャッキバルブ（１）とベンチュリーチューブ等の流量調整器具（２４）とをそれぞれ別個に設置しなげればならず、部品点数を多くし、コストを増大させ、配管全体の設置スペースをできるだけ小さくするとの要望に十分応えるものではなかった。
【発明の開示】
【課題を解決するための手段】
【０００７】
本発明は、戻り配管用の流量調節機能を兼備したチャッキバルブを開発することにより上記の課題を解決した。
【０００８】
すなわち、本発明においては、弁箱（２）の一次側開口（３）を開閉する弁体（５）と、弁箱（２）の二次側開口（４）側で弁体（５）を摺動可能に支持する支持部材（９）と、弁体（５）を弁座（８）に対して押圧するスプリング（１３）とを含み、流体の供給管（１８）の戻り配管（２２）に使用されるチャッキバルブ（１）において、支持部材（９）は弁棒（７）を弁箱（２）の中心軸（０−０）に沿い摺動可能に受ける案内（１１）と、案内（１１）の一端と中心で結合し、周縁（１４）が二次側開口（４）の内壁に密着して取り付けられる基板（１０）とを含み、基板(１０)には軸方向に貫通する複数のオリフィス(１２)が設けられた、流量調節機能を付したチャッキバルブを提供するものである。
【０００９】
本発明はさらに、支持部材（９）が、基板（１０）を貫通する複数のオリフィスと、前記除いた一部のオリフィスに適合する突起（１６）を持ち、基板（１０）に重ね合わせるオリフィス板（１５）とを備える、流量調節機能を付したチャッキバルブを提供するものである。
【００１０】
前記支持部材（９）の基板（１０）には複数のオリフィス（１２）が設けられているので、それ自体一定量の流量を絞る機能を持つが、ユーザーの持つポンプ能力に合った流量とするため、さらに流量調節機能を付した基板（１０）とそれに適合するオリフィス板（１５）を提供する。
【発明の効果】
【００１１】
以上のように、本発明の複数のオリフィス（１２）を設けた基板（１０）とオリフィス板（１５）をチャッキバルブ内に設けたことにより、ポンプ能力に応じた流量調節を少ない部品で容易に達成することができた。さらに、部品点数を減らして戻り配管を含むライン全体の設置スペースを小さくする事ができた。
【発明を実施するための最良の形態】
【００１２】
本発明のチャッキバルブ（１）は、例えば中高層ビルの供給管（１８）の戻り配管（２２）に適用するもので、この場合の実施の一例を図１〜図４に基づいて説明する。なお図５は前記給水管の概略説明図である。給水管（１８）の貯水槽（１７）には、給水管（１８）が接続され、供給管（１８）の途中には上流側から順に、貯水槽内の水を吸い上げるポンプ（１９）、チャッキバルブ（２０）、手動バルブ（２１）が取り付けられる。また、給水管（１８）のポンプ（１９）とチャッキバルブ（２０）との間には、給水管（１８）から分岐する戻り配管（２２）が設けられ、この戻り配管（２２）に本発明のチャッキバルブ（１）が取り付けられる。
【００１３】
戻り配管（２２）は、ポンプ（１９）の稼動中に供給管チャッキバルブ（２０）や手動バルブ（２１）が閉じる等して水が流れなくなる場合に、ポンプ（１９）が過熱しないようにポンプ（１９）で吸い上げる水を貯水槽（１７）及びポンプ（１９）の吸い込み側に循環させ、ポンプ（１９）が過熱しないように設けられる。
【００１４】
チャッキバルブ（１）は、図１〜図４に示すように、弁箱（２）内に弁体（５）と、これを支持する支持部材（９）と、弁体（５）と支持部材（９）との間に介在されるスプリング（１３）とが装着されている。
【００１５】
さらに詳しくは、弁箱（２）には、前記ポンプ（１９）の吐出側に一次側開口（３）が設けられ、前記貯水槽（１７）側とポンプ（１９）の吸い込み側に二次側開口（４）が設けられる。弁体（５）は、弁板（６）と弁板（６）の中心から弁箱（２）の二次側開口（４）側に突出する弁棒（７）とで構成される。さらに、支持部材（９）は、弁箱（２）の二次側開口（４）の内壁にその周縁が螺着される基板（１０）と、基板（１０）の中心から弁箱（２）の一次側開口（３）側に突出し前記弁棒（７）を弁箱（２）の中心軸０‐０に沿って摺動可能に受ける案内（１１）とで構成される。基板（１０）には、軸方向に貫通する６個の丸孔からなるオリフィス（１２）がその周方向に等間隔に形成される。６個のオリフィス（１２）の全てを開放した状態で使用してもある程度流量はしぼられるが、前記ポンプの能力に応じて適宜個数のオリフィス（１２）を予め閉鎖したものを選択して用いることができる。この目的のため、基板（１０）に適合するオリフィス板（１５）を用いる。オリフィス板（１５）には基板（１０）上と同一位置、同一形状のオリフィスが設けられ、流量を絞るため必要とされる、開閉すべきオリフィスの数毎のオリフィス板を予め用意することができる。閉鎖すべきオリフィスに対応するオリフィス板上のオリフィスには、基板（１０）上のオリフィスに適合する突起（１６）を設けておき、このようにしたオリフィス板は基板に重ね合わせて支持部材（９）内に取り付けられる。
【００１６】
前記ポンプ稼動時に、前記供給管（１８）のチャッキバルブ（２０）や手動バルブ（２１）が閉じる等して水が流れなくなった場合、戻り配管（２２）のチャッキバルブ（１）が水圧で開き、前記ポンプ（１９）の吐出側からの水が戻り配管（２２）を流れ受水槽（１７）及びポンプ（１９）の吸い込み側に戻される。このとき、水はチャッキバルブ内の基板（１０）または基板（１０）とオリフィス板の一部が閉じられたオリフィス板（１５）によって流量が制限される。
【００１７】
なお支持部材の基板（１０）及びオリフィス板（１５）に設けるオリフィス（１２）の形状や数は本実施例のものに限るものではない。さらに、本実施例のチャッキバルブ（１）は、ビルの給水ラインに適用した場合であるが、これに限らず、浄水場の排水ライン、船舶への油その他液体の積み降ろしライン、油ライン等その他の流体の給送ライン等にも適用可能である。
【図面の簡単な説明】
【００１８】
【図１】本発明チャッキバルブの実施例の縦断面図
【図２】本発明チャッキバルブ用支持部材の実施例の斜視図
【図３】図２の支持部材基板に適合するオリフィス板の斜視図
【図４】図２のオリフィスの一部を閉じる突起を設けた図３のオリフィス板の端面図
【図５】本発明チャッキバルブの実施例に示される給水ラインと戻り配管の概略説明図
【符号の説明】
【００１９】
１…チャッキバルブ
２…弁箱
３…一次側開口
４…二次側開口
５…弁体
６…弁板
７…弁棒
８…弁座
９…支持部材
１０…基板
１１…案内
１２…オリフィス
１３…スプリング
１４…周縁
１５…オリフィス板
１６…突起
【図１】
2005188696.tif 000003
【図２】
2005188696.tif 000004
【図３】
2005188696.tif 000005
【図４】
2005188696.tif 000006
【図５】
2005188696.tif 000007